(57)【要約】【課題】接続端子の破損に対する安全性が高く、且つ所望の記憶領域を選択的に使用し易い、携帯型記憶装置を提供する。【解決手段】ＵＳＢメモリ１１は、本体機器に対する二つのＵＳＢコネクタ１２、１３を具備しており、ＵＳＢコネクタ１２、１３が本体機器に選択的に接続される。このため、一方のＵＳＢコネクタ１２、１３が破損しても、他方のＵＳＢコネクタ１３、１２によって本体機器に接続して使用することができる。ＵＳＢコネクタ１２、１３のうちの何れが本体機器に接続されているのかに応じて、二つの記憶領域１４、１５の一方が他方の上位階層になることが好ましい。この場合は、記憶領域１４、１５の両方の使用を可能にしつつ、ＵＳＢコネクタ１２、１３のうちの何れを本体機器に接続するのかに応じて、記憶領域１４、１５を自動的に選択的に使用することができる。【選択図】図１
0003132258.tif 000002
【実用新案登録請求の範囲】
【請求項１】
本体機器に対する第一及び第二の接続端子を具備しており、
これら第一及び第二の接続端子が前記本体機器に選択的に接続される、携帯型記憶装置。
【請求項２】
前記第一及び第二の接続端子に第一及び第二の記憶領域が夫々対応しており、
前記第一の接続端子が前記本体機器に接続されると前記第一の記憶領域が前記第二の記憶領域の上位階層になり、
前記第二の接続端子が前記本体機器に接続されると前記第二の記憶領域が前記第一の記憶領域の上位階層になる、請求項１に記載の携帯型記憶装置。
【考案の詳細な説明】
【技術分野】
【０００１】
本考案は、接続端子によって本体機器に接続されて使用される、携帯型記憶装置に関するものである。
【背景技術】
【０００２】
パーソナルコンピュータや、デジタルカメラ及び携帯電話等の携帯機器や、テレビジョン受像機等の家電機器等である本体機器には、各種の携帯型記憶装置が接続されて使用されている。これらの携帯型記憶装置にはＵＳＢメモリ、ＳＤカードメモリ、メモリスティックや、これらの各種追加仕様のメモリがあり、これらの携帯型記憶装置はその接続端子を上述の本体機器の接続ポートに接続されて使用される。
【考案の開示】
【考案が解決しようとする課題】
【０００３】
ところで、例えば、ＵＳＢメモリのＵＳＢコネクタをパーソナルコンピュータのＵＳＢポートに挿入している状態では、ＵＳＢメモリがパーソナルコンピュータから突出しており、この突出している部分が人体の一部や何らかの物体に衝突して、ＵＳＢコネクタが破損する場合がある。また、上述の様な衝突以外の原因でＵＳＢコネクタが破損する場合もある。
【０００４】
しかし、従来の何れの携帯型記憶装置にも接続端子が一つしかなく、例えばＵＳＢメモリにもＵＳＢコネクタが一つしかない。このため、従来の携帯型記憶装置では、接続端子が破損するとこの携帯型記憶装置の記憶領域に記憶されているデータを救出することができず、接続端子の破損に対する安全性が低かった。
【０００５】
また、従来の携帯型記憶装置では、その総ての記憶領域の使用を可能にしつつ所望の記憶領域を自動的に選択的に使用することができなくて、所望の記憶領域を選択的に使用しにくかった。従って、本考案は、接続端子の破損に対する安全性が高く、且つ所望の記憶領域を選択的に使用し易い、携帯型記憶装置を提供することを目的としている。
【課題を解決するための手段】
【０００６】
請求項１に係る携帯型記憶装置は、本体機器に対する第一及び第二の接続端子を具備しており、これら第一及び第二の接続端子が本体機器に選択的に接続される。このため、一方の接続端子が破損しても、他方の接続端子によって本体機器に接続して使用することができる。
【０００７】
請求項２に係る携帯型記憶装置では、第一及び第二の接続端子のうちの何れが本体機器に接続されているのかに応じて、第一及び第二の接続端子に夫々対応している第一及び第二の記憶領域の一方が他方の上位階層になる。このため、第一及び第二の記憶領域の両方の使用を可能にしつつ、第一及び第二の接続端子のうちの何れを本体機器に接続するのかに応じて、第一及び第二の記憶領域を自動的に選択的に使用することができる。
【考案の効果】
【０００８】
請求項１に係る携帯型記憶装置は、一方の接続端子が破損しても、他方の接続端子によって本体機器に接続して使用することができるので、接続端子の破損に対する安全性が高い。
【０００９】
請求項２に係る携帯型記憶装置では、第一及び第二の接続端子のうちの何れを本体機器に接続するのかに応じて、第一及び第二の記憶領域を自動的に選択的に使用することができるので、所望の記憶領域を選択的に使用し易い。
【考案を実施するための最良の形態】
【００１０】
以下、図面を参照しながら、本考案の一実施形態を説明する。図１が、ＵＳＢメモリに適用した本考案の一実施形態を示している。このＵＳＢメモリ１１には、二つのＵＳＢコネクタ１２、１３と二つの記憶領域１４、１５とが備えられており、ＵＳＢコネクタ１２、１３に記憶領域１４、１５が夫々対応している。
【００１１】
記憶領域１４、１５は、物理的に二つのドライブ（例えばリムーバブルディスクＦ及びＧ）であってもよく、一つのドライブが二つのパーティションに分割されていて論理的に二つのドライブ（例えばリムーバブルディスクＦ及びＧ）になっていてもよい。記憶領域１４、１５が物理的に二つのドライブである場合も論理的に二つのドライブである場合も、ＵＳＢコネクタ１２、１３の一方を介して記憶領域１４、１５の両方にアクセスすることができる。
【００１２】
図２（ａ）（ｂ）は、ＵＳＢコネクタ１２、１３がパーソナルコンピュータのＵＳＢポートに夫々挿入されている状態でのＵＳＢメモリ１１内の記憶データを示すパーソナルコンピュータの画面である。ＵＳＢコネクタ１２がパーソナルコンピュータのＵＳＢポートに挿入されると、記憶領域１４つまりリムーバブルディスクＦがアクセスされて、ＵＳＢメモリ１１内の記憶データとしては、図２（ａ）に示されている様に、記憶領域１４に記憶されているファイルまたはフォルダ１６と、ショートカットとしてのフォルダ１７とが表示される。
【００１３】
一方、ＵＳＢコネクタ１３がパーソナルコンピュータのＵＳＢポートに挿入されると、記憶領域１５つまりリムーバブルディスクＧがアクセスされて、ＵＳＢメモリ１１内の記憶データとしては、図２（ｂ）に示されている様に、記憶領域１５に記憶されているファイルまたはフォルダ１８と、ショートカットとしてのフォルダ１９とが表示される。
【００１４】
ショートカットとしてのフォルダ１７のターゲットは記憶領域１５つまりリムーバブルディスクＧであり、ショートカットとしてのフォルダ１９のターゲットは記憶領域１４つまりリムーバブルディスクＦである。従って、フォルダ１７を開けば図２（ｂ）と同様の画面が表示され、フォルダ１９を開けば図２（ａ）と同様の画面が表示される。
【００１５】
つまり、ＵＳＢコネクタ１２をパーソナルコンピュータのＵＳＢポートに挿入すると記憶領域１４が自動的に記憶領域１５の上位階層になり、ＵＳＢコネクタ１３をパーソナルコンピュータのＵＳＢポートに挿入すると記憶領域１５が自動的に記憶領域１４の上位階層になり、また、記憶領域１４、１５の両方にアクセスすることができる。
【００１６】
以上の様な本実施形態のＵＳＢメモリ１１では、例えば、ＵＳＢコネクタ１２が破損した場合は、ＵＳＢコネクタ１３をパーソナルコンピュータのＵＳＢポートに挿入し、図２（ｂ）の画面からフォルダ１９を開いて図２（ａ）の画面を表示し、記憶領域１４に記憶されているファイルまたはフォルダ１６に図２（ａ）の画面からアクセスして、これらのファイルまたはフォルダ１６を救出することができる。
【００１７】
また、記憶領域１４、１５の上述の階層構造のために、ＵＳＢコネクタ１２をパーソナルコンピュータのＵＳＢポートに挿入して直ちにアクセスできるのは記憶領域１４である。このため、ＵＳＢコネクタ１２をパーソナルコンピュータのＵＳＢポートに挿入して直ちにデータを入出力すると、この入出力は記憶領域１４に対して行われる。同様に、ＵＳＢコネクタ１３をパーソナルコンピュータのＵＳＢポートに挿入して直ちにデータを入出力すると、この入出力は記憶領域１５に対して行われる。
【００１８】
従って、例えば、ＵＳＢコネクタ１２をパーソナルコンピュータのＵＳＢポートに挿入して記憶領域１４にデータを記憶中にこの記憶領域１４が満杯になると、ＵＳＢコネクタ１２をパーソナルコンピュータのＵＳＢポートから引き抜き、代わりにＵＳＢコネクタ１３をパーソナルコンピュータのＵＳＢポートに挿入して記憶領域１５に続きのデータを記憶させることができる。
【００１９】
また、例えば、ＵＳＢコネクタ１２をパーソナルコンピュータのＵＳＢポートに挿入して、日常的に作業するデータの記憶用に記憶領域１４を使用し、作業を終了したデータの記憶用に記憶領域１５を使用することもできる。
【００２０】
更に、上述の様に、記憶領域１４、１５が物理的に二つのドライブであれば、その時点での最大記憶容量の二つのドライブを記憶領域１４、１５として使用することによって、その時点での最大記憶容量の二倍の記憶容量を有するＵＳＢメモリ１１を実現することができる。しかも、この様にＵＳＢメモリ１１の全体としては大記憶容量であっても、二つの記憶領域１４、１５が選択的に使用されるので、データを整頓して記憶させておけば、記憶領域が一つの場合に比べてファイルまたはフォルダ１６、１８の検索時間は約半分で済む。
【００２１】
なお、以上の様な本実施形態のＵＳＢメモリ１１では、上述の様に、二つの記憶領域１４、１５が備えられていてＵＳＢコネクタ１２、１３に記憶領域１４、１５が夫々対応しているが、ＵＳＢメモリ１１に一つの記憶領域１４しか備えられていなくてＵＳＢコネクタ１２、１３の両方がこの一つの記憶領域１４に対応していてもよい。その場合でも、例えば、ＵＳＢコネクタ１２が破損した場合は、ＵＳＢコネクタ１３を用いて、記憶領域１４に記憶されているファイルまたはフォルダ１６を救出することができる。
【００２２】
更に、以上の実施形態はＵＳＢメモリに本考案を適用したものであるが、本考案はＳＤカードメモリ、メモリスティックや、これらの各種追加仕様のメモリ（つまり、ミニＳＤカードメモリ、マイクロＳＤカードメモリ、メモリースティックＤｕｏ、メモリースティックマイクロ等）にも適用することができる。
【産業上の利用可能性】
【００２３】
本考案は、接続端子によって本体機器に接続されて使用される、携帯型記憶装置の製造等に利用することができる。
【図面の簡単な説明】
【００２４】
【図１】本考案の一実施形態の斜視図である。
【図２】本考案の一実施形態内の記憶データを示すパーソナルコンピュータの画面であり、（ａ）（ｂ）は、二つの接続端子の一方及び他方が本体機器に夫々接続されている状態を示している。
【符号の説明】
【００２５】
１１          ＵＳＢメモリ（携帯型記憶装置）
１２、１３    ＵＳＢコネクタ（接続端子）
１４、１５    記憶領域
１６、１８    ファイルまたはフォルダ
１７、１９    フォルダ
【図１】
0003132258.tif 000003
【図２】
0003132258.tif 000004
【手続補正書】
【提出日】平成19年3月26日(2007.3.26)
【手続補正１】
【補正対象書類名】実用新案登録請求の範囲
【補正対象項目名】全文
【補正方法】変更
【補正の内容】
【実用新案登録請求の範囲】
【請求項１】
本体機器に対する第一及び第二の接続端子が筐体の互いに異なる面にあり、
前記第一及び第二の接続端子が前記本体機器に選択的に接続される、携帯型記憶装置。
【請求項２】
前記第一及び第二の接続端子に第一及び第二の記憶領域が夫々対応しており、
前記第一の接続端子が前記本体機器に接続されると前記第一の記憶領域が前記第二の記憶領域の上位階層になり、
前記第二の接続端子が前記本体機器に接続されると前記第二の記憶領域が前記第一の記憶領域の上位階層になる、請求項１に記載の携帯型記憶装置。